(57)【特許請求の範囲】
【請求項１】
吸込口から吹出口に至る１つの空気流路内に配置される除湿手段と、
前記１つの空気流路内に配置され、加湿ロータを有する加湿手段と、
前記除湿手段および前記加湿ロータに供給する空気流を発生させるファンと、
前記加湿ロータに供給するための水を貯留する加湿タンクと、
前記加湿タンクから供給された水を貯留する加湿トレーと、
前記除湿手段の下方、かつ前記加湿トレーの横または下方に配置され、前記除湿手段から排出される凝縮水を貯留する除湿タンクとを備え、
前記加湿タンクが、前記加湿ロータおよび前記ファンの少なくとも一方の横に配置されるとともに、
前記除湿手段から排出される凝縮水が前記加湿トレーに供給されずに前記除湿タンクに供給されることを特徴とする除加湿機。
【請求項２】
前記加湿ロータが、回転駆動される円形状の気化部材を有し、
前記加湿タンクは、前記加湿ロータの横に配置されており、前記気化部材側の形状が前記気化部材の外周に沿った曲面であることを特徴とする請求項１に記載の除加湿機。
【請求項３】
前記除湿タンクが、前記加湿トレーの下方に配置されることを特徴とする請求項１また
は２に記載の除加湿機。
【請求項４】
前記除湿タンクが、前記加湿トレーの真下に配置された部分と、当該部分から横方向に
延びる部分とを有することを特徴とする請求項３に記載の除加湿機。
【請求項５】
前記除湿手段の下方に配置され、前記除湿手段から排出された凝縮水を前記除湿タンク
に導く水受け部を有することを特徴とする請求項１〜４のいずれかに記載の除加湿機。
【請求項６】
室内湿度を検知する湿度検知手段と、
室内温度を検知する温度検知手段とを備え、
前記湿度検知手段で検知された室内湿度および前記温度検知手段で検知された室内温度
に基づいて、室内湿度が第１湿度以上の場合に除湿運転が行われると共に、室内湿度が第
１湿度よりも低い第２湿度以下の場合に加湿運転が行われるようにそれぞれ設定された複
数の室内温度範囲にしたがって、除湿運転と加湿運転とを切り換える自動運転モードで運
転可能であって、
前記複数の室内温度範囲のそれぞれに設定された前記第１湿度及び前記第２湿度が、温
度が高い室内温度範囲ほど低いことを特徴とする請求項１〜５のいずれかに記載の除加湿
機。
【発明の詳細な説明】
【技術分野】
【０００１】
本発明は、除加湿機に関する。
【背景技術】
【０００２】
従来から、除湿機能と加湿機能を有する除加湿機が知られている。例えば、特許文献１の除加湿機は、除湿ユニットおよび加湿ロータと、これらに供給する空気流を発生させるためのファンと、タンク（貯水容器）とを有する。タンクは、除湿ユニットおよび加湿ロータの下方に配置されている。加湿ロータには、水を吸収して気化させる気化部材を有している。気化部材にはタンク内の水が供給されるようになっており、気化部材に空気流を通過させることで加湿を行う。また、除湿ユニットは、通過する空気流に含まれる水分を吸着する吸着部材と、吸着部材から放出された水分を凝縮させる凝縮器とを有しており、凝縮水はタンクに貯留される。このようにタンクには、加湿ロータに供給するための水と除湿ユニットで凝縮した水が貯留される。
【先行技術文献】
【特許文献】
【０００３】
【特許文献１】特開２０１０−６５９６６号公報
【発明の概要】
【発明が解決しようとする課題】
【０００４】
しかしながら、加湿ロータに供給するための水と除湿ユニットで凝縮した水を１つのタンクに溜めている場合、除湿により生じた水をそのまま加湿に使用することは衛生上できないため、除湿運転の後で加湿運転を行う際には、タンクを除加湿機から取り外して排水してから、新たな水を補充する必要があった。そのため、手間を要するとともに、除湿運転と加湿運転とを自動的に切り換える構成にできないという問題があった。
【０００５】
そこで、本発明は、除湿運転後に、タンク内の水の排水しなくても加湿運転を行うことができる除加湿機を提供することを目的とする。
【課題を解決するための手段】
【０００６】
第１の発明に係る除加湿機は、吸込口から吹出口に至る１つの空気流路内に配置される除湿手段と、前記１つの空気流路内に配置され、加湿ロータを有する加湿手段と、前記除湿手段および前記加湿ロータに供給する空気流を発生させるファンと、前記加湿ロータに供給するための水を貯留する加湿タンクと、前記加湿タンクから供給された水を貯留する加湿トレーと、前記除湿手段の下方、かつ前記加湿トレーの横または下方に配置され、前記除湿手段から排出される凝縮水を貯留する除湿タンクとを備え、前記加湿タンクが、前記加湿ロータおよび前記ファンの少なくとも一方の横に配置されるとともに、前記除湿手段から排出される凝縮水が前記加湿トレーに供給されずに前記除湿タンクに供給されることを特徴とする。
【０００７】
この除加湿機では、除湿用のタンクと加湿用のタンクを１つのタンクで兼用せずに別々のタンクで構成しているため、除湿運転の後で加湿運転を行う場合に、タンク内の水を排水する必要がない。
また、除湿手段から水が送られる除湿タンクを除湿手段の下方に配置するため、除湿タンクを効率よく設置できる。また、加湿タンクを加湿手段またはファンの横に配置するため、空気流の流路を邪魔することなく、加湿タンクを効率よく設置できる。
【０００８】
第２の発明に係る除加湿機は、第１の発明において、前記加湿ロータが、回転駆動される円形状の気化部材を有し、前記加湿タンクは、前記加湿ロータの横に配置されており、前記気化部材側の形状が前記気化部材の外周に沿った曲面であることを特徴とする。
【０００９】
この除加湿機では、加湿タンクが加湿手段の側部に沿った形状に形成されているため、加湿タンクをスペースの無駄なく配置できる。
【００１０】
第３の発明に係る除加湿機は、第１または第２の発明において、前記除湿タンクが、前記加湿トレーの下方に配置されることを特徴とする。この除加湿機では、除湿タンクの配置スペースが大きいため、除湿タンクの容量を大きくできる。
【００１１】
第４の発明に係る除加湿機は、第３の発明において、前記除湿タンクが、前記加湿トレーの真下に配置された部分と、当該部分から横方向に延びる部分とを有することを特徴とする。
【００１２】
第５の発明に係る除加湿機は、第１〜第４の発明のいずれかにおいて、前記除湿手段の下方に配置され、前記除湿手段から排出された凝縮水を前記除湿タンクに導く水受け部を有することを特徴とする。
【００１３】
この除加湿機では、たとえ除湿手段と除湿タンクとが上下方向に離間していても、除湿手段から排出された凝縮水を除湿タンクに確実に導くことができる。
【００１４】
第６の発明に係る除加湿機は、第１〜第５の発明のいずれかにおいて、室内湿度を検知する湿度検知手段と、室内温度を検知する温度検知手段とを備え、前記湿度検知手段で検知された室内湿度および前記温度検知手段で検知された室内温度に基づいて、室内湿度が第１湿度以上の場合に除湿運転が行われると共に、室内湿度が第１湿度よりも低い第２湿度以下の場合に加湿運転が行われるようにそれぞれ設定された複数の室内温度範囲にしたがって、除湿運転と加湿運転とを切り換える自動運転モードで運転可能であって、前記複数の室内温度範囲のそれぞれに設定された前記第１湿度及び前記第２湿度が、温度が高い室内温度範囲ほど低いことを特徴とする。
【００１５】
この除加湿機では、室内温度と室内湿度に応じて除湿運転と加湿運転とを切り換えるため、無駄な除湿や加湿を防止できる。
また、除湿用のタンクと加湿用のタンクを別々のタンクで構成したことにより、１つのタンクの容量が低減するものの、無駄な除湿や加湿がないため、タンクの排水や給水の頻度が増加するのを抑制できる。
【発明の効果】
【００１６】
以上の説明に述べたように、本発明によれば、以下の効果が得られる。
【００１７】
第１の発明では、除湿用のタンクと加湿用のタンクを１つのタンクで兼用せずに別々のタンクで構成しているため、除湿運転の後で加湿運転を行う場合に、タンク内の水を排水する必要がない。
また、除湿手段から水が送られる除湿タンクを除湿手段の下方に配置するため、除湿タンクを効率よく設置できる。また、加湿タンクを加湿手段またはファンの横に配置するため、空気流の流路を邪魔することなく、加湿タンクを効率よく設置できる。
【００１８】
第２の発明では、加湿タンクが加湿手段の側部に沿った形状に形成されているため、加湿タンクをスペースの無駄なく配置できる。
【００１９】
第３の発明では、除湿タンクの配置スペースが大きいため、除湿タンクの容量を大きくできる。
【００２０】
第５の発明では、たとえ除湿手段と除湿タンクとが上下方向に離間していても、除湿手段から排出された凝縮水を除湿タンクに確実に導くことができる。
【００２１】
第６の発明では、室内温度と室内湿度に応じて除湿運転と加湿運転とを切り換えるため、無駄な除湿や加湿を防止できる。
また、除湿用のタンクと加湿用のタンクを別々のタンクで構成したことにより、１つのタンクの容量が低減するものの、無駄な除湿や加湿がないため、タンクの排水や給水の頻度が増加するのを抑制できる。
【図面の簡単な説明】
【００２２】
【図１】本発明の実施形態に係る除加湿機の斜視図である。
【図２】除湿タンクと加湿タンクと加湿ユニットを本体から取り外した状態の除加湿機の斜視図である。
【図３】図１のIII−III線断面図である。
【図４】図３のIV−IV線断面図である。
【図５】除湿ユニットの斜視図である。
【図６】除加湿機の制御ブロック図である。
【図７】室内湿度または室内温度が低下する場合の自動運転モードの制御を説明するための図である。
【図８】室内湿度または室内温度が上昇する場合の自動運転モードの制御を説明するための図である。
【図９】自動運転モード時の室内温度と室内湿度の一例を示すグラフである。
【図１０】本発明の他の実施形態に係る除加湿機の断面図である。
【発明を実施するための形態】
【００２３】
以下、本発明の実施形態について説明する。
本実施形態の除加湿機１は、除湿機能、加湿機能、および空気清浄機能を有しており、空気清浄のみを行う空気清浄運転と、空気清浄と除湿を同時に行う除湿運転と、空気清浄と加湿を同時に行う加湿運転のいずれかを行うことができる。図１および図２に示すように、除加湿機１は、本体１０と、本体１０に対して着脱可能に構成された除湿タンク２、加湿タンク３および加湿ユニット３０を備えている。本体１０は、ファン４と、空気清浄フィルタユニット５と、除湿ユニット（除湿手段）２０と、制御部６（図６参照）とを有する。また、本体１０には、室内湿度を検知するための湿度センサ７（図６参照）と、室内温度を検知するための温度センサ８（図６参照）が設けられている。以下の説明において、図１中に示す上下方向、左右方向、前後方向を、単に、上下方向、左右方向、前後方向と称する。
【００２４】
本体１０の左右両側部の前側部分には吸込口１１ａが形成されており、本体１０の天面の後側部分には、吹出口１１ｂが形成されている。図３に示すように、本体１０の内部には、ファン４によって発生する空気流Ｆを吸込口１１ａから吹出口１１ｂに導くための流路が形成されている。この流路に上流側から順に、空気清浄フィルタユニット５、除湿ユニット２０、加湿ユニット３０の加湿ロータ３１、ファン４が配置されている。ファン４を駆動することにより、吸込口１１ａから吸い込まれた空気流Ｆは、空気清浄フィルタユニット５、除湿ユニット２０、加湿ロータ３１を順に通過して、吹出口１１ｂから吹き出される。
【００２５】
図２に示すように、本体１０の右側部の前側下部には、収容空間１０ａが形成されており、この収容空間１０ａに除湿タンク２は収容される。また、本体１０の右側部の後側部分には、収容空間１０ｂが形成されており、この収容空間１０ｂに加湿ユニット３０と加湿タンク３が収容される。
【００２６】
また、本体１０の上面には、操作パネル１２が設けられている。操作パネル１２には、ユーザが運転の開始／停止の操作や、運転モードの切り換えなどを行うためのスイッチが設けられている。本実施形態の除加湿機１は、運転モードとして、加湿運転モード、除湿運転モード、空気清浄モード、および自動運転モードを有する。自動運転モードは、湿度センサ７で検知された室内湿度と温度センサ８で検知された室内温度とに基づいて、加湿運転と空気清浄運転と除湿運転とを自動的に切り換えるモードである。
【００２７】
また、操作パネル１２には、ユーザに対して、加湿タンク３への水の補充が必要であることを報知するための給水ランプ（図示省略）と、除湿タンク２内の水の排出が必要であることを報知するための満水ランプ（図示省略）とが設けられている。
【００２８】
図３に示すように、空気清浄フィルタユニット５は、本体１０内の前側部分に配置されている。空気清浄フィルタユニット５は、これを通過する空気中の塵埃や臭気成分を除去する。
【００２９】
図５に示すように、除湿ユニット２０は、吸着部材２１と、循環ファン２２と、ヒーター２３と、流路形成部材２４と、吸着部材２１を回転駆動させるためのモーター２６（図６参照）とを備えている。また、流路形成部材２４は、凝縮器の機能を有する。
【００３０】
吸着部材２１は、多孔質体で構成されており、水分に対して高い吸着性を有する。吸着部材２１は、円形状に形成されており、流路形成部材２４に対して回転可能に取り付けられている。吸着部材２１の外周端には、歯部（図示省略）が設けられており、この歯部と噛合する図示しない歯車がモーター２６によって回転することで、吸着部材２１は回転する。
【００３１】
循環ファン２２は、後方に突出するように流路形成部材２４の上部に取り付けられている。ヒーター２３は、吸着部材２１の後側に配置されている。ヒーター２３は、略扇形状であって、吸着部材２１の後面の一部（略１／６）を覆うように流路形成部材２４に取り付けられている。
【００３２】
流路形成部材２４は、樹脂製であって、第１流路２４ａと、第２流路２４ｂと、凝縮部２５と、第３流路２４ｃとを有する。循環ファン２２、第１流路２４ａ、ヒーター２３、第２流路２４ｂ、凝縮部２５、第３流路２４ｃの順で空気が循環するようになっている。この循環する空気を再生空気という。
【００３３】
第１流路２４ａは、循環ファン２２からヒーター２３に再生空気を送るための流路である。第２流路２４ｂは、ヒーター２３と吸着部材２１を通過した再生空気を、凝縮部２５に送るための流路である。第２流路２４ｂは、略扇形状であって、吸着部材２１の前面の一部分（略１／６）を覆うように形成されている。この第２流路２４ｂとヒーター２３とは、吸着部材２１を介して対向配置されている。
【００３４】
凝縮部２５は、第２流路２４ｂから供給された再生空気を、吸着部材２１の外周の下側半分に沿って流すように形成されている。また、凝縮部２５には、前後方向に貫通する複数の長孔２５ａが設けられている。この長孔２５ａの内側を空気流Ｆが通過する。第３流路２４ｃは、凝縮部２５を通過した再生空気を循環ファン２２に送るための流路である。また、流路形成部材２４の下端部には、凝縮部２５において凝縮した水を排出するための排水孔（図示省略）が設けられている。
【００３５】
除湿運転時には、吸着部材２１のうち、第２流路２４ｂで覆われていない部分に、空気清浄ユニットを通過した空気流Ｆが通過することで、この空気流Ｆに含まれる水分が吸着部材２１に吸収される。そして、吸着部材２１が回転することにより、水分を保持している部分が、ヒーター２３と対向する位置まで移動する。
【００３６】
一方、循環ファン２２を駆動することで、再生空気が循環ファン２２から第１流路２４ａを介してヒーター２３に流入する。再生空気は、ヒーター２３で加熱された後、吸着部材２１を後面側から通過する。この高温の再生空気が通過した領域では、吸着部材２１の保持していた水分が気化するため、吸着部材２１を通過した再生空気は、吸着部材２１から放出された水分を含んだ状態で、第２流路２４ｂに流入する。
【００３７】
そして、第２流路２４ｂから凝縮部２５に供給された再生空気は、複数の長孔２５ａの外周面（および流路形成部材２４の前壁）と接触することで、空気流Ｆによって冷却される。これにより、再生空気に含まれる水分が凝縮して、長孔２５ａの外周面（および流路形成部材２４の前壁）に結露が生じる。凝縮水は、流路形成部材２４の下端部に設けられた図示しない排水孔を通って除湿タンク２に流れ込む。また、凝縮部２５で水分を放出した再生空気は、第３流路２４ｃを通って、循環ファン２２に吸い込まれる。
【００３８】
また、吸着部材２１が回転することで、吸着部材２１のうち水分が放出された領域は、ヒーター２３と対向する位置から移動して、新たな空気流Ｆの水分を吸着する。このように吸着部材２１は、水分の吸着と放出とを繰り返す。
【００３９】
除湿タンク２は、除湿ユニット２０の下方に配置されており、凝縮部２５で凝縮した水を貯留する。除湿タンク２は、本体１０に対して着脱可能となっている。除湿タンク２は、収容空間１０ａに収容された状態から右側に引き出すことで本体１０から取り外され、左側に押し込むことで本体１０に取り付けられる。除湿タンク２の右側面は、除加湿機１の外郭の一部を構成している。除湿タンク２は、略矩形状であって、上蓋に凝縮水の流入口（図示省略）を有する。また、除湿タンク２内の水面高さは、図示しないセンサによって検知される。水面高さが所定の高さ以上となると満水ランプが点灯するようになっている。
【００４０】
図２および図４に示すように、加湿ユニット３０は、加湿ロータ３１と、加湿トレー３４とを有する。なお、加湿ロータ３１が本発明の加湿手段を構成している。
【００４１】
加湿トレー３４は、収容空間１０ｂの下側部分に収容される。加湿トレー３４は、タンク受け部３５と、ロータ浸漬部３６と、仕切り壁３７と、２本のロータ支持柱３８とを有する。
【００４２】
ロータ浸漬部３６とタンク受け部３５は、仕切り壁３７によって仕切られている。仕切り壁３７には、ロータ浸漬部３６とタンク受け部３５とを連通させる連通孔（図示省略）が形成されている。また、仕切り壁３７の上部は、加湿ロータ３１の外周面に沿った略円弧状に形成されている。
【００４３】
タンク受け部３５には、加湿タンク３が配置され、加湿タンク３から供給された水が貯留される。加湿タンク３内に水がある限り、タンク受け部３５内の水面高さは満水レベルに保たれるようになっている。また、タンク受け部３５内の水面高さは、図示しないセンサによって検知される。水面高さが所定の高さ未満になると給水ランプが点灯するようになっている。
【００４４】
ロータ浸漬部３６には、タンク受け部３５から連通孔（図示省略）を介して供給された水が貯留される。このロータ浸漬部３６内の水が、後述する水汲み部３３ａによって汲み上げられて加湿ロータ３１の気化部材３２に供給される。
【００４５】
加湿ロータ３１は、ロータ浸漬部３６の上方に配置されている。加湿ロータ３１は、円形状であって、ロータ浸漬部３６の上縁に設けられた２本のロータ支持柱３８に回転自在に支持されている。加湿ロータ３１は、水を吸水して気化させる気化部材３２と、気化部材３２を両側から保持する枠部材３３とで構成される。また、加湿ユニット３０は、気化部材３２の最下部が、ロータ浸漬部３６内の水の満水レベルよりも上方に位置するように構成されている。
【００４６】
枠部材３３の外周面には、歯部が形成されている。本体１０には、枠部材３３の歯部と噛合する歯車（図示省略）が設けられており、この歯車がモーター９（図６参照）によって回転することで、加湿ロータ３１は回転する。また、枠部材３３の前面には、複数の水汲み部３３ａが周方向に並んで設けられている。水汲み部３３ａは、気化部材３２にロータ浸漬部３６内の水を供給するためのものである。
【００４７】
加湿運転時には、加湿ロータ３１が回転することにより、複数の水汲み部３３ａが順次加湿トレー３４内に浸水して、浸水した状態から上昇していく際にロータ浸漬部３６内の水を汲み上げる。そして、水汲み部３３ａが最上位置に近付くにしたがって、水汲み部３３ａ内の水が気化部材３２に供給される。そして、水を吸水した状態の気化部材３２に空気流Ｆが通過することで、空気流Ｆが加湿される。
【００４８】
図３および図４に示すように、加湿タンク３は、加湿ロータ３１とファン４の右側に配置されており、気化部材３２に供給するための水を貯留する。加湿タンク３は、加湿トレー３４（および加湿ロータ３１）が本体１０に装着された状態で、本体１０と加湿トレー３４に対して着脱可能となっている。加湿タンク３は、本体１０に装着された状態から、加湿タンク３の上端部を下端部に対して外側に回転させることで取り外される。加湿タンク３の下端部には、給水口が設けられている。加湿タンク３の右側面は、除加湿機１の外郭の一部を構成している。加湿タンク３の左側面３ａは、仕切り壁３７に沿った（気化部材３３の外周に沿った）曲面に形成されている。
【００４９】
制御部６は、除湿運転や加湿運転や空気清浄運転が行われるように、ファン４やモーター９等の動作を制御する。制御部６は、空気清浄運転を行う場合には、ファン４を稼動させて、循環ファン２２、ヒーター２３、モーター２６およびモーター９を停止させる。また、除湿運転を行う場合には、ファン４、循環ファン２２、ヒーター２３、およびモーター２６を稼動させて、モーター９を停止させる。また、加湿運転を行う場合には、ファン４とモーター９を稼動させて、循環ファン２２、ヒーター２３、およびモーター２６を停止させる。
【００５０】
制御部６は、自動運転モードが設定された場合、湿度センサ７で検知された室内湿度（以下、単に室内湿度という）と温度センサ８で検知された室内温度（以下、単に室内温度という）とに基づいて、加湿運転、空気清浄運転、除湿運転のいずれかを行うように制御する。
【００５１】
具体的には、図７および図８に示すように、温度範囲Ｔ１〜Ｔ４ごとにそれぞれ設定された加湿切換湿度（第２湿度）Ｈ１ａ〜Ｈ４ａ、第１空清切換湿度Ｈ１ｂ〜Ｈ４ｂ、第２空清切換湿度Ｈ１ｃ〜Ｈ４ｃ、除湿切換湿度（第１湿度）Ｈ１ｄ〜Ｈ４ｄに基づいて制御を行う。各温度範囲Ｔ１〜Ｔ４において、加湿切換湿度＜第１空清切換湿度＜第２空清切換湿度＜除湿切換湿度となっている。また、加湿切換湿度Ｈ１ａ〜Ｈ４ａは、温度が高い温度範囲ほど小さくなっており、同様に、第１空清切換湿度Ｈ１ｂ〜Ｈ４ｂ、第２空清切換湿度Ｈ１ｃ〜Ｈ４ｃ、除湿切換湿度Ｈ１ｄ〜Ｈ４ｄも、温度が高い温度範囲ほど小さくなっている。なお、各切換湿度は、上述の大小関係を満たすものであれば、図７および図８に示す数値に限定されない。
【００５２】
制御部６は、自動運転モードの運転開始時に室内温度が温度範囲Ｔ１内の場合、室内湿度が加湿切換湿度Ｈ１ａ以下の場合には加湿運転を行い、室内湿度が除湿切換湿度Ｈ１ｄ以上の場合には除湿運転を行い、室内湿度が加湿切換湿度Ｈ１ａより高く除湿切換湿度Ｈ１ｄ未満の場合には空気清浄運転を行うように制御する。
室内温度が温度範囲Ｔ２〜Ｔ３の場合の制御も、上述の温度範囲Ｔ１の場合と同様である。
【００５３】
また、制御部６は、加湿運転中で室内温度が温度範囲Ｔ１内の場合、室内湿度が第１空清切換湿度Ｈ１ｂ以上に上昇した場合（即ち、図８中の領域Ｂ１から領域Ｂ２に温湿度が変化した場合）には、加湿運転から空気清浄運転に切り換えるように制御する。
また、制御部６は、空気清浄運転中で室内温度が温度範囲Ｔ１内の場合、室内湿度が除湿切換湿度Ｈ１ｄ以上に上昇した場合（即ち、図８中の領域Ｂ３から領域Ｂ４に温湿度が変化した場合）には、空気清浄運転から除湿運転に切り換えるように制御する。
また、制御部６は、除湿運転中で室内温度が温度範囲Ｔ１内の場合、室内湿度が第２空清切換湿度Ｈ１ｃ以下に低下した場合（即ち、図７中の領域Ａ３から領域Ａ２に温湿度が変化した場合）には、除湿運転から空気清浄運転に切り換えるように制御する。
また、制御部６は、空気清浄運転中で室内温度が温度範囲Ｔ１内の場合、室内湿度が加湿切換湿度Ｈ１ａ以下に低下した場合（即ち、図７中の領域Ａ２から領域Ａ１に温湿度が変化した場合）には、空気清浄運転から加湿運転に切り換えるように制御する。
室内温度が温度範囲Ｔ２〜Ｔ３の場合の制御も、上述の温度範囲Ｔ１の場合と同様である。
【００５４】
また、制御部６は、加湿運転中に室内温度が温度範囲Ｔ１の温度から温度範囲Ｔ２の温度に上昇し、室内湿度が第１空清切換湿度Ｈ２ｂ以上の場合（即ち、図８中の領域Ｂ１から領域Ｂ４に温湿度が変化した場合）には、加湿運転から空気清浄運転に切り換えるように制御する。
また、制御部６は、空気清浄運転中に室内温度が温度範囲Ｔ１の温度から温度範囲Ｔ２の温度に上昇し、室内湿度が除湿切換湿度Ｈ２ｄ以上の場合（即ち、図８中の領域Ｂ２から領域Ｂ５に温湿度が変化した場合）には、空気清浄運転から除湿運転に切り換えるように制御する。
室内温度が温度範囲Ｔ２から温度範囲Ｔ３に上昇した場合、および、温度範囲Ｔ３から温度範囲Ｔ４に上昇した場合の制御も、上記と同様である。
【００５５】
また、制御部６は、除湿運転中に室内温度が温度範囲Ｔ２の温度から温度範囲Ｔ１の温度に低下し、室内湿度が第２空清切換湿度Ｈ１ｃ以下の場合（即ち、図７中の領域Ａ５から領域Ａ２に温湿度が変化した場合）には、除湿運転から空気清浄運転に切り換えるように制御する。
また、制御部６は、空気清浄運転中に室内温度が温度範囲Ｔ２の温度から温度範囲Ｔ１の温度に低下し、室内湿度が加湿切換湿度Ｈ１ａ以下の場合（即ち、図７中の領域Ａ４から領域Ａ１に温湿度が変化した場合）には、空気清浄運転から加湿運転に切り換えるように制御する。
室内温度が温度範囲Ｔ３から温度範囲Ｔ２に低下した場合、および、温度範囲Ｔ４から温度範囲Ｔ３に低下した場合の制御も、上記と同様である。
【００５６】
次に、除加湿機１の動作の一例について図９を用いて説明する。
【００５７】
自動運転モードの運転開始の操作が行われた時刻を時刻ｔ０とする。時刻ｔ０における室内温度は２０℃であって温度範囲Ｔ３内の温度である。また、時刻ｔ０における室内湿度は加湿切換湿度Ｈ３ａより高く除湿切換湿度Ｈ３ｄ未満であるため、空気清浄運転が開始される。
【００５８】
その後、時刻ｔ１において、室内温度が温度範囲Ｔ３で維持された状態で室内湿度が除湿切換湿度Ｈ３ｄ以上に上昇すると、空気清浄運転から除湿運転に切り換えられる。その後、時刻ｔ２において、室内温度が温度範囲Ｔ３で維持された状態で室内湿度が第２空清切換湿度Ｈ３ｃ以下に低下すると、除湿運転から空気清浄運転に切り換えられる。
【００５９】
その後、時刻ｔ３において、室内温度が温度範囲Ｔ３で維持された状態で室内湿度が加湿切換湿度Ｈ３ａ以下に低下すると、空気清浄運転から加湿運転に切り換えられる。その後、時刻ｔ４において、室内温度が温度範囲Ｔ３で維持された状態で室内湿度が第１空清切換湿度Ｈ３ｂ以上に上昇すると、加湿運転から空気清浄運転に切り換えられる。
【００６０】
その後、時刻ｔ５において、室内温度が２０℃よりも低くなって温度範囲Ｔ２の温度となると、時刻ｔ５における室内湿度が加湿切換湿度Ｈ２ａ以下であるため、空気清浄運転から加湿運転に切り換えられる。その後、時刻ｔ６において、室内温度が温度範囲Ｔ２で維持された状態で室内湿度が第１空清切換湿度Ｈ２ｂ以上に上昇すると、加湿運転から空気清浄運転に切り換えられる。
【００６１】
＜本実施形態の除加湿機の特徴＞
本実施形態の除加湿機１では、除湿用のタンクと加湿用のタンクを１つのタンクで兼用せずに別々のタンクで構成しているため、除湿運転の後で加湿運転を行う場合に、タンク内の水を取り換える必要がない。
また、除湿ユニット２０から水が送られる除湿タンク２を除湿ユニット２０の下方に配置するため、除湿タンク２を効率よく設置できる。また、加湿タンク３を加湿ユニット３０とファン４の横に配置するため、空気流の流路を邪魔することなく、加湿タンク３を効率よく設置できる。
【００６２】
また、本実施形態の除加湿機１では、加湿タンク３が加湿ユニット３０の側部に沿った形状に形成されているため、加湿タンク３をスペースの無駄なく配置できる。
【００６３】
また、本実施形態の除加湿機１では、室内温度と室内湿度に応じて除湿運転と加湿運転とを切り換えるため、無駄な除湿や加湿を防止できる。
また、除湿用のタンクと加湿用のタンクを別々のタンクで構成したことにより、１つのタンクの容量が低減するものの、無駄な除湿や加湿がないため、タンクの排水や給水の頻度が増加するのを抑制できる。
【００６４】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００６５】
図７および図８では、１つの温度範囲の温度幅が１０℃となっているが、温度幅は１０℃より大きくても小さくてもよい。また、温度範囲ごとに温度幅が異なっていてもよい。また、温度範囲の数は、４つに限定されない。また、温度範囲は、０℃より低い温度や４０℃より高い温度に、設定されていてもよい。
【００６６】
上記実施形態では、加湿運転から空気清浄運転に切り換える際の基準となる第１空清切換湿度Ｈ１ｂ〜Ｈ４ｂは、空気清浄運転から加湿運転に切り換える際の基準となる加湿切換湿度Ｈ１ａ〜Ｈ４ａより高く設定されているが、同じであってもよい。
【００６７】
また、上記実施形態では、除湿運転から空気清浄運転に切り換える際の基準となる第２空清切換湿度Ｈ１ｃ〜Ｈ４ｃは、空気清浄運転から除湿運転に切り換える際の基準となる除湿切換湿度Ｈ１ｄ〜Ｈ４ｄより低く設定されているが、同じであってもよい。
【００６８】
上記実施形態では、自動運転モード時に、加湿運転と除湿運転と空気清浄運転とを切り換えるようになっているが、空気清浄運転を行う代わりに、運転を停止してもよい。
【００６９】
除加湿機は、自動運転モードを有していなくてもよい。
【００７０】
上記実施形態では、除湿タンク２と加湿トレー３４は前後方向に並んで配置されているが、例えば図１０に示すように、除湿タンク１０２の上方に加湿トレー１３４が配置されていてもよい。この構成によると、除湿タンク１０２の配置スペースが大きいため、除湿タンク１０２の容量を大きくできる。
【００７１】
上記実施形態では、除湿ユニット２０から排出された凝縮水は、直接、除湿タンク２に流れ込むようになっているが、例えば図１０に示すように、除湿ユニット２０の下方に水受け部１２７を配置し、この水受け部１２７によって、除湿ユニット２０から排出された凝縮水を除湿タンク１０２に導くようになっていてもよい。この構成によると、図１０のように除湿ユニット２０と除湿タンク１０２とが上下方向に離間している場合であっても、除湿ユニット２０から排出された凝縮水を確実に除湿タンクに導くことができる。
【００７２】
上記実施形態では、加湿タンク３は、加湿ロータ３１とファン４の横に配置されているが、加湿タンク３の配置位置は、加湿ロータおよびファンの一方の横であれば、他方の横（左右方向に隣接）でなくてもよい。
【００７３】
上記実施形態では、除湿タンク２を収容する収容空間１０ａは、右側が開口しており、除湿タンク２は、本体１０に取り付けられた状態から右側に引き出すことで本体１０から取り外されるようになっているが、この構成に限定されない。収容空間１０ａは、左側または前側が開口し、除湿タンク２は、左側または前側に引き出すことで取り外されるようになっていてもよい。
【００７４】
上記実施形態では、加湿タンク３は、本体１０の右側部分に配置されているが、左側部分に配置されていてもよい。
【００７５】
上記実施形態では、加湿タンク３を収容する収容空間１０ｂは右側が開口しており、加湿タンク３は、本体１０に取り付けられた状態から上端部を右側に回転させることで本体１０から取り外されるようになっているが、この構成に限定されない。収容空間１０ｂは、後側が開口し、加湿タンク３は、その上端部を後側に回転させることで取り外されるようになっていてもよい。
【００７６】
上記実施形態では、加湿タンク３は、本体１０に取り付けられた状態から上端部を回転させることで本体１０から取り外されるようになっているが、加湿タンク３の本体１０に対する着脱構造はこれに限定されない。例えば、加湿タンク３を鉛直上方に持ち上げることで、本体１０から取り外されるようになっていてもよい。
【００７７】
上記実施形態では、加湿タンク３の加湿ロータ３１側の面３ａは、仕切り壁３７に沿った曲面に形成されているが、曲面でなくてもよい。例えば、面３ａは、仕切り壁３７に沿うように配置された複数の平面で構成されていてもよい。また、例えば、面３ａは、左右方向に直交する平面であってもよい。
【００７８】
上記実施形態では、加湿ロータ３１の枠部材３３に設けられた水汲み部３３ａによって、気化部材３２に水を供給するようになっているが、気化部材３２に水を供給するための構成はこれに限定されない。例えば、枠部材３３に水汲み部３３ａを設ける代わりに、水汲み部を有する回転体を配置して、この回転体の水汲み部によってロータ浸漬部３６内の水を汲み上げて、気化部材に掛けるようになっていてもよい。
【産業上の利用可能性】
【００７９】
本発明を利用すれば、除湿運転後に、タンク内の水の排水しなくても加湿運転を行うことができる。
【符号の説明】
【００８０】
１  除加湿機
２、１０２  除湿タンク
３  加湿タンク
４  ファン
６  制御部（制御手段）
７  湿度センサ（湿度検知手段）
８  温度センサ（温度検知手段）
２０  除湿ユニット（除湿手段）
３０  加湿ユニット
３１  加湿ロータ（加湿手段）
３２  気化部材
３４、１３４  加湿トレー
１２７  水受け部
Ｔ１〜Ｔ４  温度範囲（室内温度範囲）
Ｈ１ａ〜Ｈ４ａ  加湿切換湿度（第２湿度）
Ｈ１ｄ〜Ｈ４ｄ  除湿切換湿度（第１湿度）
【図１】
0005626171.tif 000002
【図２】
0005626171.tif 000003
【図３】
0005626171.tif 000004
【図４】
0005626171.tif 000005
【図５】
0005626171.tif 000006
【図６】
0005626171.tif 000007
【図７】
0005626171.tif 000008
【図８】
0005626171.tif 000009
【図９】
0005626171.tif 000010
【図１０】
0005626171.tif 000011